(57)【要約】【課題】選局したチャンネルの番組情報と視聴当日の全チャンネルの予約状況が容易に把握でき、また選局したチャンネルの視聴当日の予約が容易にできるようにする。【解決手段】チャンネルが選局されたとき番組情報表示手段によって選局されたチャンネルの選局された時の番組の情報と次の番組の情報が表示された番組情報ウィンドウが表示され、予約情報表示手段によって番組情報ウィンドウの下段には、視聴当日の２４時間の全チャンネルの予約状況を示す１個の棒状または帯状の時間軸が表示される。時間軸には予約番組の時間帯の領域を予約の順に青、赤、緑、黄の色つきで表示されているため、利用者が直感的に予約時間を認識することができる。【選択図】図４
2010239580.tif 000002
【特許請求の範囲】
【請求項１】
チャンネルが選局されたときに表示装置の画面に選局された前記チャンネルの番組情報を示す番組情報ウィンドウを表示する番組情報表示手段と、
前記番組情報ウィンドウ内に視聴当日の予約情報を表示する予約情報表示手段と
を有することを特徴とするデジタル放送受信機。
【請求項２】
前記番組情報は、選局された時の番組の情報と該番組の次の番組の情報であることを特徴とする請求項１記載のデジタル放送受信機。
【請求項３】
前記予約情報は、１個の棒状または帯状の時間軸で表示され、前記時間軸の端から他端までは視聴当日の２４時間を表すことを特徴とする請求項１記載のデジタル放送受信機。
【請求項４】
前記予約情報は、全チャンネルの予約番組を表示することを特徴とする請求項３記載のデジタル放送受信機。
【請求項５】
前記予約情報は、前記予約番組の時間帯の領域を予約の順に青、赤、緑、黄で表示され、５個目以後の前記予約番組の時間帯の領域を青、赤、緑、黄の順で繰り返して表示されることを特徴とする請求項３または請求項４記載のデジタル放送受信機。
【請求項６】
前記時間軸は、選局された前記チャンネルの各番組の時間帯の領域毎に分割され、各番組の開始時間を示す分割線が表示されていることを特徴とする請求項３記載のデジタル放送受信機。
【請求項７】
前記時間軸は、選局された時の番組の開始時間を示す分割線の位置にカーソル（Cursor）が表示されていることを特徴とする請求項６記載のデジタル放送受信機。
【請求項８】
前記カーソルは、リモコン（remote controller）のカーソルボタンが操作される毎に次の番組の開始時間を示す分割線に移動されると共に、前記カーソルが配置された分割線の番組の情報が次の番組の情報として表示されることを特徴とする請求項７記載のデジタル放送受信機。
【請求項９】
前記カーソルが配置された分割線の番組に対してリモコンの操作により該番組を予約する予約手段を有することを特徴とする請求項８記載のデジタル放送受信機。
【請求項１０】
電源投入直後に表示装置の画面に全チャンネルの視聴当日の予約済み番組の詳細情報を示す予約済み番組一覧ウィンドウを表示する予約済み番組一覧表示手段と、
前記予約済み番組一覧ウィンドウ内に１個の棒状または帯状の時間軸の中に視聴当日の予約済み番組の時間帯を表示する予約済み番組時間軸表示手段と
を有することを特徴とするデジタル放送受信機。
【請求項１１】
前記時間軸の端から他端までは視聴当日の２４時間を表すことを特徴とする請求項１０記載のデジタル放送受信機。
【請求項１２】
前記予約済み情報は、前記時間軸の前記予約済み番組の時間帯の領域を予約の順に青、赤、緑、黄で表示され、５個目以後の前記予約番組の時間帯の領域を青、赤、緑、黄の順で繰り返して表示されることを特徴とする請求項１０または請求項１１記載のデジタル放送受信機。
【請求項１３】
前記時間軸は、前記予約済み番組の時間帯の領域のいずれかにカーソル（Cursor）が表示され、リモコンの左方向または右方向のカーソルボタンを操作することによって左または右の予約済み番組の時間帯の領域に前記カーソルが移動され、
前記予約済み番組の詳細情報は、時間の早い順に上から表示されおり、前記カーソルが配置された前記予約済み番組に相応する前記詳細情報が、前記カーソルが配置された前記時間帯の領域と同じ色でハイライトされ、リモコンの上方向または下方向のカーソルボタンを操作することによって上または下の前記詳細情報に移動し、このとき前記カーソルが相応する前記予約済み番組の前記時間帯の領域に配置されることを特徴とする請求項１２記載のデジタル放送受信機。
【請求項１４】
デジタル放送を受信して表示装置に表示するデジタル放送受信機における番組情報表示方法であって、
チャンネルが選局されたときに前記表示装置の画面に選局された前記チャンネルの番組情報を示す番組情報ウィンドウを表示する番組情報表示ステップと、
前記番組情報ウィンドウ内に視聴当日の予約情報を表示する予約情報表示ステップと
を有することを特徴とする番組情報表示方法。
【請求項１５】
前記番組情報は、選局された時の番組の情報と該番組の次の番組の情報であることを特徴とする請求項１４記載の番組情報表示方法。
【請求項１６】
前記予約情報は、１個の棒状または帯状の時間軸で表示され、前記時間軸の端から他端までは視聴当日の２４時間を表すことを特徴とする請求項１４記載の番組情報表示方法。
【請求項１７】
前記予約情報は、全チャンネルの予約番組を表示することを特徴とする請求項１６記載の番組情報表示方法。
【請求項１８】
前記予約情報は、前記予約番組の時間帯の領域を予約の順に青、赤、緑、黄で表示され、５個目以後の前記予約番組の時間帯の領域を青、赤、緑、黄の順で繰り返して表示されることを特徴とする請求項１６または請求項１７記載の番組情報表示方法。
【請求項１９】
前記時間軸は、選局された前記チャンネルの各番組の時間帯の領域毎に分割され、各番組の開始時間を示す分割線が表示されていることを特徴とする請求項１６記載の番組情報表示方法。
【請求項２０】
前記時間軸は、選局された時の番組の開始時間を示す分割線の位置にカーソル（Cursor）が表示されていることを特徴とする請求項１９記載の番組情報表示方法。
【請求項２１】
前記カーソルは、リモコン（remote controller）のカーソルボタンが操作される毎に次の番組の開始時間を示す分割線に移動されると共に、前記カーソルが配置された分割線の番組の情報が次の番組の情報として表示されることを特徴とする請求項２０記載の番組情報表示方法。
【請求項２２】
デジタル放送を受信して表示装置に表示するデジタル放送受信機における番組予約方法であって、
チャンネルが選局されたときに前記表示装置の画面に選局された前記チャンネルの番組情報を示す番組情報ウィンドウを表示する番組情報表示ステップと、
前記番組情報ウィンドウ内に視聴当日の予約情報を表示する予約情報表示ステップとを備え、
前記予約情報は、１個の棒状または帯状の時間軸で表示され前記時間軸の端から他端までは視聴当日の２４時間が表され、選局された前記チャンネルの各番組の時間帯の領域毎に分割され各番組の開始時間を示す分割線が表示されており、
前記時間軸は、選局された時の番組の開始時間を示す分割線の位置にカーソル（Cursor）が表示され、
前記カーソルが配置された分割線の番組に対してリモコンの操作により該番組を予約することを特徴とする番組予約方法。
【請求項２３】
デジタル放送を受信して表示装置に表示するデジタル放送受信機における番組情報表示方法であって、
電源投入直後に表示装置の画面に全チャンネルの視聴当日の予約済み番組の詳細情報を示す予約済み番組一覧ウィンドウを表示する予約済み番組一覧表示ステップと、
前記予約済み番組一覧ウィンドウ内に１個の棒状または帯状の時間軸で表された視聴当日の予約済み情報を表示する予約済み情報表示ステップと
を有することを特徴とする番組情報表示方法。
【請求項２４】
前記時間軸の端から他端までは視聴当日の２４時間を表すことを特徴とする請求項２３記載の番組情報表示方法。
【請求項２５】
前記予約済み情報は、前記時間軸の前記予約済み番組の時間帯の領域を予約の順に青、赤、緑、黄で表示され、５個目以後の前記予約番組の時間帯の領域を青、赤、緑、黄の順で繰り返して表示されることを特徴とする請求項２３または請求項２４記載の番組情報表示方法。
【請求項２６】
前記時間軸は、前記予約済み番組の時間帯の領域のいずれかにカーソル（Cursor）が表示され、リモコンの左方向または右方向のカーソルボタンを操作することによって左または右の予約済み番組の時間帯の領域に前記カーソルが移動され、
前記予約済み番組の詳細情報は、時間の早い順に上から表示されおり、前記カーソルが配置された前記予約済み番組に相応する前記詳細情報が、前記カーソルが配置された前記時間帯の領域と同じ色でハイライトされ、リモコンの上方向または下方向のカーソルボタンを操作することによって上または下の前記詳細情報に移動し、このとき前記カーソルが相応する前記予約済み番組の前記時間帯の領域に配置されることを特徴とする請求項２５記載の番組情報表示方法。
【発明の詳細な説明】
【技術分野】
【０００１】
本発明は、デジタル放送によって受信した番組を視聴予約または録画予約するデジタル放送受信機、番組情報表示方法および番組予約方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索、番組の視聴予約や録画予約を行うことができる。
【０００３】
デジタル放送受信機の多チャンネル化が進むにつれ、視聴予約や録画予約をした番組数が増大し、利用者が予約した番組を確認する際にリモコンを操作してＥＰＧ画面を開いて予約されたことを示す印の付いた番組を探したり、または、別途予約済みリストを表示して確認しなければならず、手間が掛かることがある。
【０００４】
番組の視聴予約や録画予約を確認する方法として、テレビジョン受像機の電源を入れると、視聴予約または録画予約がされている場合、予約番組一覧表が画面に表示され、予約番組一覧表の中の各予約番組は、左右に仮想的に設定した時間軸に沿って番組の放送開始時刻に対応する位置に、その番組の放送時間に対応する時間軸方向の長さの一辺を有する所定の矩形領域として表示され、予約のない時間帯を表す空き時間領域はグレー等の所定の色で塗り潰されることが提案されている。（例えば特許文献１参照。）
【先行技術文献】
【特許文献】
【０００５】
【特許文献１】特開２００６−３３３０４２号公報
【発明の概要】
【発明が解決しようとする課題】
【０００６】
特許文献１では、全てのチャンネルの予約情報が時間軸に沿った形で表示される仕組みとなっているが、利用者が視聴しているチャンネルとは無関係に表示される。利用者が選局したチャンネルの視聴当日の番組情報を見ながら気に入った番組があれば、簡単に視聴予約または録画予約ができ、それが全チャンネルにおける予約済みの番組とかち合わないことが容易に判断できれば利用者の利便性が向上する。
【０００７】
本発明は上記したような事情に鑑み成されたものであって、選局したチャンネルの番組情報と視聴当日の全チャンネルの予約状況が容易に把握でき、また選局したチャンネルの視聴当日の予約が容易にできるデジタル放送受信機、番組情報表示方法および番組予約方法を提供することを目的とする。
【課題を解決するための手段】
【０００８】
上記目的を達成するために、本発明のデジタル放送受信機は、チャンネルが選局されたときに表示装置の画面に選局された前記チャンネルの番組情報を示す番組情報ウィンドウを表示する番組情報表示手段と、前記番組情報ウィンドウ内に視聴当日の予約情報を表示する予約情報表示手段とを有することを特徴とする。
【０００９】
また、本発明の番組情報表示方法は、デジタル放送を受信して表示装置に表示するデジタル放送受信機における番組情報表示方法であって、チャンネルが選局されたときに前記表示装置の画面に選局された前記チャンネルの番組情報を示す番組情報ウィンドウを表示する番組情報表示ステップと、前記番組情報ウィンドウ内に視聴当日の予約情報を表示する予約情報表示ステップとを有することを特徴とする。
【００１０】
また、本発明の番組予約方法は、デジタル放送を受信して表示装置に表示するデジタル放送受信機における番組予約方法であって、チャンネルが選局されたときに前記表示装置の画面に選局された前記チャンネルの番組情報を示す番組情報ウィンドウを表示する番組情報表示ステップと、前記番組情報ウィンドウ内に視聴当日の予約情報を表示する予約情報表示ステップとを備え、前記予約情報は、１個の棒状または帯状の時間軸で表示され前記時間軸の端から他端までは視聴当日の２４時間が表され、選局された前記チャンネルの各番組の時間帯の領域毎に分割され各番組の開始時間を示す分割線が表示されており、前記時間軸は、選局された時の番組の開始時間を示す分割線の位置にカーソル（Cursor）が表示され、前記カーソルが配置された分割線の番組に対してリモコンの操作により該番組を予約することを特徴とする。
【発明の効果】
【００１１】
本発明によれば、選局したチャンネルの番組情報と視聴当日の全チャンネルの予約状況が容易に把握でき、また選局したチャンネルの視聴当日の予約が容易にできる。
【図面の簡単な説明】
【００１２】
【図１】本発明によるデジタル放送受信機の実施例の構成を示すブロック図。
【図２】ＣＰＵの番組情報や予約情報に関する機能を示したブロック図。
【図３】リモコンの実施例を示す概観図。
【図４】番組情報ウィンドウの例を示す図。
【図５】表示画面に番組情報ウィンドウが表示されている状態を示す図。
【図６】図４の状態から右方向カーソルボタンが１回押下された状態の番組情報ウィンドウを示す図。
【図７】図６の状態から右方向カーソルボタンが１回押下された状態の番組情報ウィンドウを示す図。
【図８】図４の状態で現在の番組を予約した状態の番組情報ウィンドウを示す図
【図９】カーソルが分割線５３ｍに配置された状態の番組情報ウィンドウを示す図。
【図１０】予約済み番組一覧ウィンドウの例を示す図。
【図１１】番組情報ウィンドウにおける番組表示と番組予約の動作を示すフローチャート。
【図１２】色ボタンが押下されたときの番組情報ウィンドウにおける番組表示の動作を示すフローチャート。
【図１３】予約済み番組一覧ウィンドウにおける予約済み番組表示の動作を示すフローチャート。
【発明を実施するための形態】
【００１３】
以下本発明の実施例について図面を参照しながら説明する。図１は、本発明によるデジタル放送受信機１の実施例の構成を示すブロック図である。アンテナ２は、放送局１９から送信された放送電波を受信するための地上デジタル放送あるいは衛星デジタル放送用のアンテナである。チューナ３は、地上デジタル放送あるいは衛星デジタル放送の放送信号の中から所望のチャンネルの放送信号を選局する。復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部５に出力される。
【００１４】
信号処理部５は、復調器４から供給されたデジタルの映像信号及び音声信号を選択的に所定のデジタル信号処理を施して、映像処理部６および音声処理部７へ出力する。信号処理部５は、ＭＰＥＧ（Moving Picture Experts Group）エンコーダ、ＭＰＥＧデコーダ、映像音声デコーダ等の機能を有する。
【００１５】
映像処理部６は、信号処理部５から入力されたデジタルの映像データを、表示装置８で表示可能なフォーマットに変換したり、表示色を任意に調整したりして、表示装置８に出力して映像を表示させる。音声処理部７は、信号処理部５から入力されたデジタルの音声データを、スピーカ９で再生可能なアナログ音声信号に変換した後、スピーカ９に出力して音声を再生させる。
【００１６】
デジタル放送受信機１は、上記した受信動作を含むその全ての動作をＣＰＵ（Central Processing Unit）１１によって統括的に制御されている。復調器４、信号処理部５、映像処理部６、音声処理部７は、データバス１０を介してＣＰＵ１１に接続されている。
【００１７】
ＲＡＭ（Random Access Memory）１２は、ＣＰＵ１１のデータ処理に必要な各種データを格納するリード／ライトメモリであり、映像データ等を格納するバッファメモリとして動作する。ＲＯＭ（Read Only Memory）１３は読出し専用メモリであり、ＣＰＵ１１が実行する制御のプログラムなどを格納している。
【００１８】
フラッシュメモリ１４は、書き換え可能であり、電源を切ってもデータが消えない不揮発性の半導体メモリである。フラッシュメモリ１４は、番組の予約情報を記憶する番組情報記憶手段の機能を有する。
【００１９】
操作受信部１５は、操作部１６から送信される操作信号を受信し、ＣＰＵ１１に転送する。操作部１６は、例えば、赤外線あるいはBluetooth等による無線通信を利用したリモコン（remote controller）、有線式あるいは無線式マウス、キーボード等であり、操作信号を送出する。操作受信部１５は、そのリモコン、マウス、キーボード等から操作信号を受信する。
【００２０】
記録装置１７は、ＨＤＤ（Hard Disk Drive）あるいはＳＳＤ（Solid State Drive）等を含む記録装置である。記録装置１９は、データバス１０に接続しているが、記録装置１９には情報を記録再生するためのインターフェース手段が搭載されており、該インターフェース手段を介してＨＤＤあるいはＳＳＤに放送番組等を録画し、また再生する。記録装置１９はデジタル放送受信機１の外部にあっても構わない。その場合にはデジタル放送受信機１は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）等のインターフェースを介してＨＤＤあるいはＳＳＤに放送番組等を録画し、また再生する。
【００２１】
デジタル放送受信機１は、送受信部１８を介してインターネット２０に接続されている。これにより、デジタル放送受信機１は、ネットワーク上にある各種のコンテンツ配信サーバ等の機器と送受信部１８を介して情報伝送を行なうことができる。
【００２２】
図２は、ＣＰＵ１１の番組情報や予約情報に関する機能を示したブロック図である。ＣＰＵ１１は、チャンネルが選局されたときに表示装置８の画面８ａに選局されたチャンネルの番組情報を示す番組情報ウィンドウを表示する番組情報表示手段１１ａと、番組情報ウィンドウ内に視聴当日の予約情報を表示する予約情報表示手段１１ｂの機能を有する。また、電源投入直後に表示装置８の画面８ａに全チャンネルの視聴当日の予約済み番組の詳細情報を示す予約済み番組一覧ウィンドウを表示する予約済み番組一覧表示手段１１ｃと、予約済み番組一覧ウィンドウ内に１個の棒状または帯状の時間軸の中に視聴当日の予約済み番組の時間帯を表示する予約済み番組時間軸表示手段１１ｄの機能を有する。さらにカーソルが配置された番組に対してリモコンの操作により番組を予約する予約手段１１ｅの機能を有する。
【００２３】
図３は、リモコン３０の実施例を示す概観図である。リモコン３０は赤外線あるいはBluetooth等による無線通信を利用して、デジタル放送受信機１の操作受信部１５へ操作信号を送る。電源ボタン３１は、デジタル放送受信機１の電源をオンまたはオフする。詳細にはデジタル放送受信機１を待機状態から動作状態、または動作状態から待機状態にするボタンである。選局ボタン３２は、チャンネル番号を直接選択する１から１２までの番号が振られたボタンである。チャネル送りボタン３３は、チャネル番号を順送りまたは逆送りで選局するボタンであり、選局ボタン３２と同様にチャネルを選局するときに用いられる。
【００２４】
カーソルボタン３４は表示装置８の画面に表示された各種の情報ウィンドウ内のカーソルの移動や各種項目の選択ボタンの移動を行うためのボタンである。左方向カーソルボタン３４ａはカーソルを左方向に移動させるときに用いるボタンである。右方向カーソルボタン３４ｂ、上方向カーソルボタン３４ｃ、下方向カーソルボタン３４ｄはそれぞれカーソルを右方向、上方向、下方向に移動させるときに用いる。決定ボタン３５は、カーソルボタンで移動した先の位置または画面上のボタンを実行するときに用いられる。４色の色ボタン３６は、左から青ボタン３６ａ、赤ボタン３６ｂ、緑ボタン３６ｃ、黄ボタン３６ｄの順に配置されている。画面上に色により区別された項目や色による選択の表示があるときに使用する。
【００２５】
図４（ａ）は、番組情報ウィンドウ４０の例を示す図である。また図５は、表示装置８の表示画面８ａに番組情報ウィンドウ４０が表示されている状態を示す図である。番組情報ウィンドウ４０は、あるチャンネルが選局されたとき、あるいはチャンネルが切り換えられたときに、番組情報表示手段１１ａによって表示される。番組情報ウィンドウ４０には、選局された時の番組の情報と該番組の次の番組の番組情報が表示される。
【００２６】
番組情報ウィンドウ４０の上段には、現在の番組表示４１、現在の番組のチャネル番号４２、現在の番組名４３、現在時刻４４、現在の番組の放送時間４５が表示されている。番組情報ウィンドウ４０の中段には、現在の番組のチャネル番号４２と同じチャネルの次の番組が表示される。次の番組表示４６、現在の番組のチャネル番号４７、次の番組名４８、次の番組の放送時間４９が表示されている。
【００２７】
番組情報ウィンドウ４０の下段には、視聴当日の全チャンネルの予約状況を示す予約情報が予約情報表示手段１１ｂによって表示される。本日予約の表示５０、時間軸５２が表示されている。予約情報は、１個の棒状または帯状の時間軸５２で表示され、時間軸の左端が視聴当日の０時０分０秒の時刻を示し、右端が視聴当日の２３時５９分５９秒を示しており、端から他端までは視聴当日の２４時間を表す。
【００２８】
予約済みの番組の予約情報は、予約番組の時間帯の領域を予約の順に青、赤、緑、黄で表示されている。５個目以後の予約番組の時間帯の領域は青、赤、緑、黄の順で繰り返して表示される。図４（ａ）の例では、１２時３０分を開始時間とする青の領域で示された部分と２２時３０分を開始時間とする赤の領域で示された部分が予約番組として表示されている。尚、図４（ａ）および番組情報ウィンドウ４０を示した図においては、色の区別を説明するために図の下部に色を示す網掛けパターンを記載した。同じ網掛けパターンの領域は同じ色で表示されているものとする。
【００２９】
時間軸５２は、選局された現在のチャンネルの各番組の時間帯の領域毎に分割され、各番組の開始時間を示す分割線５３が表示されている。図４（ａ）においては図が煩雑になるので分割線５３の一部だけに図番号５３を付けている。図４（ｂ）は、時間軸５２の現在のチャンネルの各番組の時間帯の分割線５３ａ〜５３ｎを示した図である。時間軸５２は、選局された時刻に放送されている番組の開始時間を示す分割線５３ａの位置にカーソル（Cursor）５５が表示されている。また、この番組の放送時間帯５６の領域は水色で示されている。また、このとき現在の番組表示４１の領域も水色で表示されている。現在の番組表示４１の領域を水色としないで、文字だけを水色で表示してもよい。
【００３０】
カーソル５５は、リモコン３０のカーソルボタン３４が操作される毎に次の番組の開始時間を示す分割線５３に移動されると共に、カーソル５５が配置された分割線５３の番組の情報が中段の次の番組の情報として表示される。このときリモコン３０のカーソルボタン３４は、左方向カーソルボタン３４ａと右方向カーソルボタン３４ｂが操作される。
【００３１】
図５において、番組情報ウィンドウ４０は表示装置８の画面８ａの左下端に表示された例を示したが、右上端あるいは中央であってもよい。番組情報ウィンドウ４０は利用者がカーソルの操作をしない場合には所定の時間後、例えば１０秒後に画面８ａから消去される。また利用者が行った最後の操作から所定の時間後、例えば１０秒後に画面８ａから消去される。
【００３２】
図６は、図４の状態から、リモコン３０の右方向カーソルボタン３４ｂが１回押下された状態の番組情報ウィンドウ４０を示す図である。カーソルボタン３４ｂが１回押下されると次の番組が指定される。カーソル５５が分割線５３ａから右隣の分割線５３ｂに移動し、この番組の放送時間帯の領域５７が水色で示されている。また、このとき次の番組表示４６の領域が水色で表示されている。次の番組名４８には番組名「History of Olympic Games」が表示され、次の番組の放送時間４９には「11:00 〜 12:00」が表示されている。
【００３３】
図７は、図６の状態から、リモコン３０の右方向カーソルボタン３４ｂが１回押下された状態の番組情報ウィンドウ４０を示す図である。このときカーソル５５は分割線５３ｂから右隣の分割線５３ｃに移動し、次の番組名４８には番組名「Late-Breaking News」が表示され、次の番組の放送時間４９には「12:00 〜 13:00」が表示されている。このとき次の番組表示４６の領域が水色で表示されている。また、時間軸５２の中のこの番組の放送時間帯の領域５８が水色で示されている。この放送時間帯には、青で表示された時間帯５４ａの領域が存在する。この時間帯５４ａの領域は番組が既に予約されていることを表す。
【００３４】
カーソル５５が配置された現在のチャンネルの番組の放送時間帯に予約済み番組が含まれている場合には、予約番組名５９、予約番組の放送時間６０が表示される。また本日予約の表示５０の表示領域が、時間帯５４ａの領域と同じ色で表示される。この場合は青である。本日予約の表示５０の表示領域を青としないで、文字だけを青で表示してもよい。予約番組名５９には「Sports News   (002CH)」が表示され、予約番組の放送時間６０には「12:30 〜 13:30」が表示されている。
【００３５】
予約番組名５９、予約番組の放送時間６０が表示されていない場合には、カーソル５５が配置された現在のチャンネルの番組の放送時間帯に予約済み番組が含まれていないということであり、無条件に予約が可能である。逆に予約番組名５９、予約番組の放送時間６０が表示されている場合には、予約するには、既に予約した番組の予約を解除する必要がある。
【００３６】
図８は、現在の番組を予約した状態の番組情報ウィンドウ４０を示す図である。カーソル５５が図４に示したように分割線５３ａにあるとき、予約番組名５９、予約番組の放送時間６０が表示されていないので、無条件に予約が可能である。ＣＰＵ１１は、カーソル５５が配置された分割線５３の番組に対してリモコン３０の操作によりこの番組を予約する予約手段１１ｅを有する。ここで、リモコン３０の決定ボタン３５を押下すると、カーソル５５が配置された番組が予約対象として選択され、更に画面に表示されたＹＥＳまたはＮＯでＹＥＳを選択すると予約が確定される。予約が確定されると、予約番組名５９、予約番組の放送時間６０に予約された番組が表示される。また、時間軸５２の水色で表示されていた時間帯５６の領域が３番目の予約を示す緑で表示される。本日予約の表示５０も緑となる。
【００３７】
図８においては、予約番組名５９に「The 29th Beijing Olympic Ceremony  (001CH)」、予約番組の放送時間６０に「08:00 〜 11:00」が表示される。この例では、現在時刻が８時８分であり、既に番組開始時間を過ぎているが、予約確定した時点から視聴予約であれば番組が再生され、録画予約であれば番組が録画される。
【００３８】
図９は、カーソル５５が分割線５３ｍに配置された状態の番組情報ウィンドウ４０を示す図である。この状態では、分割線５３ｍの番組名「Table Tennis Games」、放送時間「22:00 〜 23:00」の時間帯６１の領域の中に、予約済番組名「Basket Ball Games (NBA) (003CH)」、予約番組の放送時間「22:30 〜 23:30」が含まれるため、予約番組名５９、予約番組の放送時間６０が表示されている。時間軸５２の時間帯５４ｂの領域は赤で表示されている。また本日予約の表示５０も赤である。利用者は分割線５３ｍの番組「Table Tennis Games」を無条件で予約できないことが容易に判断できる。ここで、利用者がリモコンの決定ボタンを押下すると、予約番組の予約操作を取消すかどうかの問合せダイアログ「ＹＥＳまたはＮＯ」が表示される。［ＮＯ］を選択すると、分割線５３ｍで示す番組「Table Tennis Games」は新規予約されない。「ＹＥＳ」を選択すると、予約済番組「Basket Ball Games (NBA)」の予約を取消したあと、分割線５３ｍの番組が新規に予約される。
【００３９】
画面８ａに番組情報ウィンドウ４０が表示されているときに、リモコンの色ボタン３６のどれか一つが押下されると、予約番組のうち押下されたボタンと同じ色の予約情報が本日予約の欄に表示される。更に色ボタンが押下された場合、同じ色が押下されたときは本日予約の欄に押下された色と同じ色の次の予約番組を表示し、他の色が押下されたときは押下された色と同じ色の一番早く予約された番組を表示する。
【００４０】
図１０（ａ）、図１０（ｂ）は、予約済み番組一覧ウィンドウ７０の例を示す図である。予約済み番組一覧ウィンドウ７０は、デジタル放送受信機１の電源がオンされたときに予約済み番組一覧表示手段１１ｃによって表示される。予約済み番組一覧ウィンドウ７０には、全チャンネルの視聴当日の予約済み番組の詳細情報が表示され、さらに１個の棒状または帯状の時間軸７７の中に視聴当日の予約済み番組の時間帯が予約済み番組時間軸表示手段１１ｅによって表示される。
【００４１】
予約済み番組一覧ウィンドウ７０の上段には、全チャンネルの視聴当日の予約済み番組の詳細情報が表示され、具体的には予約済み番組のチャンネル番号表示７１ａ、７２ａ、７３ａ、７４ａ、予約済み番組名７１ｂ、７２ｂ、７３ｂ、７４ｂ、放送時間７１ｃ、７２ｃ、７３ｃ、７４ｃが表示されている。
【００４２】
予約済み番組一覧ウィンドウ７０の下段には、１個の棒状または帯状の時間軸７７で表された視聴当日の予約済み番組の時間帯が表示され、具体的には本日予約の表示７５、視聴当日の年月日表示７６、時間軸７７が表示される。時間軸７７は、時間軸７７の左端が視聴当日の０時０分０秒の時刻を示し、右端が視聴当日の２３時５９分５９秒を示しており、端から他端までは視聴当日の２４時間を表す。
【００４３】
視聴当日の予約済み情報は、時間軸７７の予約済み番組の時間帯の領域を予約の順に青、赤、緑、黄で表示されている。５個目以後の予約番組の時間帯の領域は青、赤、緑、黄の順で繰り返して表示される。図１０（ａ）の例では、１２時３０分を開始時間とする青の領域で示された部分、２２時３０分を開始時間とする赤の領域で示された部分、８時を開始時間とする緑の領域で示された部分が予約済み番組の時間帯として表示されている。尚、図１０（ａ）、図１０（ｂ）においては、色の区別を説明するために図の下部に色を示す網掛けパターンを記載した。同じ網掛けパターンの領域は同じ色で表示されているものとする。
【００４４】
時間軸７７は、予約済み番組の時間帯の領域のいずれかにカーソル（Cursor）７８が表示され、リモコン３０の左方向カーソルボタン３４ａまたは右方向カーソルボタン３４ｂを操作することによって左または右の予約済み番組の時間帯の領域にカーソル７８が移動される。予約済み番組の詳細情報は、時間の早い順に上から表示されおり、カーソル７８が配置された予約済み番組に相応する詳細情報が、カーソルが配置された時間帯の領域と同じ色でハイライトされる。リモコンの上方向カーソルボタン３４ｃまたは下方向カーソルボタン３４ｄを操作することによって上または下の詳細情報に移動し、このときカーソル７８が相応する予約済み番組の時間帯の領域に配置される。
【００４５】
具体的には、図１０（ａ）においては、下段の時間軸７７には、予約済み番組の時間帯７９、８０、８１の領域がそれぞれ緑、青、赤で表示されており、カーソル７８が時間帯７９の領域に配置されている。このとき上段の詳細情報は時間帯７９に相応する詳細情報７２ａ、７２ｂ、７２ｃが時間帯７９の領域の色と同色の緑でハイライトされている。ここでリモコン３０の右方向カーソルボタン３４ｂが１回押下されると、図１０（ｂ）に示すようにカーソル７８は時間帯８０の領域に移動する。このとき同期して上段の詳細情報は、時間帯８０に相応する詳細情報７３ａ、７３ｂ、７３ｃが時間帯８０の領域の色と同色の青でハイライトされる。
【００４６】
他方、図１０（ａ）の状態でリモコン３０の下方向カーソルボタン３４ｄが１回押下されると、図１０（ｂ）に示すように詳細情報７２ａ、７２ｂ、７２ｃのハイライトが消え、一段下の詳細情報７３ａ、７３ｂ、７３ｃがハイライトされる。このとき同期してカーソル７８が時間帯８０の領域に移動する。詳細情報７３ａ、７３ｂ、７３ｃがハイライトの色は、青となる。
【００４７】
図１０（ａ）の状態で、詳細情報７２ａ、７２ｂ、７２ｃがハイライトされているときリモコン３０の決定ボタン３５が押下されると、この予約済み番組が予約解除対象として選択され、更に画面８ａにダイアログ表示されたＹＥＳまたはＮＯでＹＥＳが選択されると予約解除される。ＮＯが選択されれば、予約は解除されない。予約が解除されると、詳細情報７２ａ、７２ｂ、７２ｃが消去され、また時間軸７７から時間帯７９が消去される。
【００４８】
図１１は、番組情報ウィンドウ４０における番組表示と番組予約の動作を示すフローチャートである。Ｓ１０において、番組情報表示手段１１ａは、あるチャンネルが選局されたとき、あるいはチャンネルが切り換えられたときに、表示装置８の表示画面８ａに番組情報ウィンドウ４０を表示する。またこのとき、予約情報表示手段１１ｂは、番組情報ウィンドウ４０の下段に視聴当日の全チャンネルの予約状況を示す予約情報を表示する。
【００４９】
Ｓ１１において、番組情報表示手段１１ａは、カーソル５５が移動されたかを判定する。利用者がリモコン３０の左方向カーソルボタン３４ａまたは右方向カーソルボタン３４ｂを操作することによってカーソル５５が移動するので、操作受信部１５からの信号を監視することにより判定できる。カーソル５５の移動がないならばＳ１２に移る。Ｓ１２において、番組情報表示手段１１ａは、リモコン３０の色ボタン３６が押下されたかを判定する。色ボタン３６が押下されないならばＳ１３へ移る。色ボタン３６が押下されたならば図１２で示すフローチャートのＳ３０へ移る。
【００５０】
Ｓ１３において、番組情報表示手段１１ａは、所定時間が経過したか判定する。所定時間は、利用者が最後の操作をしてからの経過時間であり、例えば、１０秒である。所定時間が経過したと判定したならば、Ｓ１４へ移る。Ｓ１４において、番組情報表示手段１１ａは、画面８ａから番組情報ウィンドウ４０を消去する。Ｓ１３において所定時間が経過していないならば、Ｓ１１へ戻る。
【００５１】
Ｓ１１において、カーソル５５の移動があったと判定されたならば、Ｓ１５へ移る。Ｓ１５において、予約手段１１ｅは、カーソル５５が配置された番組が予約済み番組をかち合うか判定する。かち合わないと判定したならば、Ｓ１６へ移る。このとき利用者は無条件で予約が可能である。Ｓ１６において、予約手段１１ｅは、番組予約が指定されたかを判定する。予約手段１１ｅは、リモコン３０の決定ボタン３５が押下されたかを監視して判定する。番組予約が指定されたと判定したならば、Ｓ１７へ移る。
【００５２】
Ｓ１７において、予約手段１１ｅは、画面８ａにＹＥＳまたはＮＯのダイアログを表示する。Ｓ１８において、予約手段１１ｅは、ＹＥＳが選択されたかを判定する。ＹＥＳが選択されたならば、Ｓ１９へ移る。Ｓ１９において、予約手段１１ｅは、指定された番組を予約する。その後Ｓ１１へ戻る。
【００５３】
Ｓ１６において、番組予約が所定時間（例えば１０秒）経っても指定されない場合はＳ１１へ戻る。Ｓ１８において、ＹＥＳが選択されなかった場合には、Ｓ１１へ戻る。Ｓ１５において、かち合うと判定されたならば、Ｓ２０へ移る。このとき利用者は選択した番組が予約済み番組とかち合っていることを認識している。
【００５４】
Ｓ２０において、予約手段１１ｅは、番組予約が指定されたかを判定する。番組予約が指定されたと判定したならば、Ｓ２１へ移る。Ｓ２１において、予約手段１１ｅは、画面８ａにＹＥＳまたはＮＯのダイアログを表示する。Ｓ２２において、予約手段１１ｅは、ＹＥＳが選択されたかを判定する。ＹＥＳが選択されたならば、Ｓ２３へ移る。Ｓ２３において、予約手段１１ｅは、予約済みの番組の予約を解除して指定された番組を予約する。その後Ｓ１１へ戻る。
【００５５】
Ｓ２０において、所定時間（例えば１０秒）経っても番組予約が指定されない場合はＳ１１へ戻る。Ｓ２２において、ＹＥＳが選択されなかった場合には、Ｓ１１へ戻る。以上のように利用者は番組情報ウィンドウ４０によって全チャンネルの予約状況を直感的に確認できまた予約状況を見ながら容易に該当チャンネルの番組予約を行うことができる。
【００５６】
図１２は、番組情報ウィンドウ４０が表示されているときリモコン３０の色ボタン３６が押下された場合の動作を示すフローチャートである。図１１で示したフローチャートのＳ１２において、番組情報表示手段１１ａは、リモコン３０の色ボタン３６が押下されたかを判定し、色ボタン３６が押下されたと判定したならば、Ｓ３０へ移る。
【００５７】
Ｓ３０において、番組情報表示手段１１ａは、本日予約の欄に押下された色の予約番組の情報を表示する。Ｓ３１において、番組情報表示手段１１ａは、更に色ボタンが押下されたかを判定する。押下されないと判定したならば、Ｓ３２へ移る。Ｓ３２において、番組情報表示手段１１ａは、所定時間（例えば１０秒）経過したかを判定する。所定時間が経過したならば、図１１で示したフローチャートのＳ１４へ移る。所定時間が経過していないならば、Ｓ３１へ戻る。
【００５８】
Ｓ３１において、番組情報表示手段１１ａは、色ボタンが押下されたと判定したならばＳ３３へ移る。Ｓ３３において、番組情報表示手段１１ａは、再び同じ色の色ボタンが押下されたかを判定する。同じ色ボタンが押下されたと判定したならば、Ｓ３４に移って本日予約の欄に同じ色の次の予約情報を表示する。予約情報がない場合には、現状の表示を継続して表示する。他の色ボタンが押下されたと判定したならば、Ｓ３５へ移って、本日予約の欄に押下された色の予約番組の情報を表示する。Ｓ３４、Ｓ３５からＳ３２へ移る。
【００５９】
以上のように利用者が色ボタンを押下すると時間軸５２に表示された予約番組の中で同じ色で表示された番組情報を本日予約欄に表示する。
【００６０】
図１３は、予約済み番組一覧ウィンドウ７０における予約済み番組表示の動作を示すフローチャートである。Ｓ１０において、予約済み番組一覧表示手段１１ｃは、デジタル放送受信機１の電源投入直後に表示装置８の画面８ａに全チャンネルの視聴当日の予約済み番組の詳細情報を示す予約済み番組一覧ウィンドウ７０を表示する。またこのとき、予約済み番組時間軸表示手段１１ｄは、予約済み番組一覧ウィンドウ内に１個の棒状または帯状の時間軸７７の中に視聴当日の予約済み番組の時間帯を表示する。
【００６１】
Ｓ４１において、予約済み番組一覧表示手段１１ｃは、リモコン３０のカーソルボタン３４が押下されたかを判定する。押下されないと判定したならば、Ｓ４２へ移る。Ｓ４２において予約済み番組一覧表示手段１１ｃは、予約解除の指定があるかを判定する。ハイライトされている詳細情報に対して、リモコン３０の決定ボタン３５が押下されたかを関監視して判定する。予約解除がなければ、Ｓ４３へ移る。
【００６２】
Ｓ４３において、予約済み番組一覧表示手段１１ｃは、所定時間が経過したか判定する。所定時間は、利用者が最後の操作をしてからの経過時間であり、例えば、１０秒である。所定時間が経過したと判定したならば、Ｓ４４へ移る。Ｓ４４において、予約済み番組一覧表示手段１１ｃは、画面８ａから予約済み番組一覧ウィンドウ７０を消去する。Ｓ４３において所定時間が経過していないならば、Ｓ４１へ戻る。
【００６３】
Ｓ４１において、カーソルボタン３４が押下されたと判定したならば、Ｓ４５に移る。Ｓ４５において予約済み番組一覧表示手段１１ｃは、指定された詳細情報に対して相当する時間帯の領域の色と同じ色でハイライトする。その後Ｓ４２へ移る。
【００６４】
Ｓ４２において、予約済み番組一覧表示手段１１ｃは、予約解除の指定があると判定された場合はＳ４６へ移る。Ｓ４６において、予約手段１１ｅは、画面８ａにＹＥＳまたはＮＯのダイアログを表示する。Ｓ４７において、予約手段１１ｅは、ＹＥＳが選択されたかを判定する。ＹＥＳが選択されたならば、Ｓ４８へ移る。Ｓ４８において、予約手段１１ｅは、指定された予約済み番組の予約を解除する。その後Ｓ４３へ戻る。Ｓ４７において、ＹＥＳが選択されなかった場合には、Ｓ４３へ移る。
【００６５】
以上のように、番組情報表示手段１１ａによってチャンネルが選局されたとき番組情報ウィンドウ４０が表示され、選局したチャンネルの選局された時の番組の情報と次の番組の情報が表示される。予約情報表示手段１１ｂによって番組情報ウィンドウ４０の下段には、視聴当日の全チャンネルの予約状況を示す１個の棒状または帯状の時間軸５２が表示される。時間軸５２の端から他端までは視聴当日の２４時間を表し、予約番組の時間帯の領域を予約の順に青、赤、緑、黄の色つきで表示されているため、利用者が直感的に予約時間を認識することができる。またカーソルを移動して所望の番組を予約しようとするときに既に予約済みの番組とかち合うかを一目で判断でき予約操作が容易となる。従って選局したチャンネルの番組情報と視聴当日の全チャンネルの予約状況が容易に把握でき、また選局したチャンネルの視聴当日の予約を容易に行うことができる。
【００６６】
予約済み番組一覧表示手段１１ｃによってデジタル放送受信機１の電源がオンされたときに全チャンネルの視聴当日の予約済み番組の詳細情報が表示された予約済み番組一覧ウィンドウ７０が表示される。下段には予約済み番組時間軸表示手段１１ｅによって１個の棒状または帯状の時間軸７７の中に視聴当日の予約済み番組の時間帯が表示される。詳細情報と時間軸７７によって視聴当日の予約状況が容易に確認でき、また予約の解除が容易に行うことができる。
【００６７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６８】
１  デジタル放送受信機
８  表示装置
８ａ  画面
１１  ＣＰＵ
１１ａ  番組情報表示手段
１１ｂ  予約情報表示手段
１１ｃ  予約済み番組一覧表示手段
１１ｄ  予約済み番組時間軸表示手段
１１ｅ  予約手段
１５  操作受信部
１６  操作部
３０  リモコン
３１  電源ボタン
３２  選局ボタン
３４  カーソルボタン
３４ａ  左方向カーソルボタン
３４ｂ  右方向カーソルボタン
３４ｃ  上方向カーソルボタン
３４ｄ  下方向カーソルボタン
３５  決定ボタン
３６  色ボタン
３６ａ  青ボタン
３６ｂ  赤ボタン
３６ｃ  緑ボタン
３６ｄ  黄ボタン
４０  番組情報ウィンドウ
５２  時間軸
５３  分割線
５４ａ  時間帯
５４ｂ  時間帯
５５  カーソル
５６  時間帯
７０  予約済み番組一覧ウィンドウ
７７  時間軸
７８  カーソル
７９  時間帯
８０  時間帯
８１  時間帯
【図１】
2010239580.tif 000003
【図２】
2010239580.tif 000004
【図３】
2010239580.tif 000005
【図４】
2010239580.tif 000006
【図５】
2010239580.tif 000007
【図６】
2010239580.tif 000008
【図７】
2010239580.tif 000009
【図８】
2010239580.tif 000010
【図９】
2010239580.tif 000011
【図１０】
2010239580.tif 000012
【図１１】
2010239580.tif 000013
【図１２】
2010239580.tif 000014
【図１３】
2010239580.tif 000015